(57)【要約】【課題】虫、埃、水分、腐食性のガス等が、リード線の挿通孔からカバー内に侵入することを防止する。【解決手段】実施形態の一例である照明装置１０は、装置本体１１と、装置本体１１の内部に設けられる発光モジュール２０と、装置本体１１の内部に固定され、発光モジュール２０を保持するホルダ３０と、ホルダ３０に係合して発光モジュール２０およびホルダ３０を覆う透光性のカバー４０と、発光モジュール２０に接続されるリード線２４とを備える。装置本体１１は、天板部１４に形成されたリード線２４の挿通孔１５と、天板部１４の外側に向いた外面１４ａ上において、挿通孔１５を囲むように形成された環状溝５０とを有する。照明装置１０は、環状溝５０内に設けられたシール材と、天板部１４と共にシール材を挟持し、シール材に囲まれた天板部１４上の空間Ｐを密閉するための天板６０とをさらに備える。【選択図】図２
2018147840.tif 000002
【特許請求の範囲】
【請求項１】
軸方向一端が開口し、軸方向他端に天板部が形成された有天筒状の装置本体と、
前記装置本体の内部に設けられる発光モジュールと、
前記装置本体の内部に固定され、前記発光モジュールを保持するホルダと、
前記ホルダに係合して前記発光モジュールおよび前記ホルダを覆う透光性のカバーと、
前記発光モジュールに接続されるリード線と、
を備え、
前記装置本体は、前記天板部に形成された前記リード線の挿通孔と、前記天板部の外側に向いた面上において、前記挿通孔を囲むように形成された環状溝とを有し、
前記環状溝内に設けられたシール材と、
前記天板部と共に前記シール材を挟持し、前記シール材に囲まれた前記天板部上の空間を密閉するための天板と、
をさらに備える、照明装置。
【請求項２】
前記装置本体は、前記環状溝に囲まれた範囲外に、前記天板がネジ止めされる固定部を有する、請求項１に記載の照明装置。
【請求項３】
前記シール材は、前記環状溝に嵌め込まれるリング状のパッキンである、請求項１または２に記載の照明装置。
【請求項４】
前記装置本体は、前記天板部と前記天板との間に前記リード線を通すための開口部を形成する凹部を有し、
前記シール材は、前記リード線と前記凹部との隙間を塞ぐリード線シール部を有する、請求項１〜３のいずれか１項に記載の照明装置。
【請求項５】
前記ホルダは、ホルダ固定用ネジを用いて前記天板部に固定され、
前記ホルダ固定用ネジが挿通される貫通孔は、前記天板部において前記環状溝に囲まれた範囲に形成される、請求項１〜４のいずれか１項に記載の照明装置。
【請求項６】
前記ホルダは、位置決めピンを有し、
前記装置本体は、前記位置決めピンが挿入されるピン孔を有し、
前記ピン孔は、前記天板部において前記環状溝に囲まれた範囲に形成される、請求項１〜５のいずれか１項に記載の照明装置。
【請求項７】
前記装置本体の内面と前記カバーとの隙間をシールする内側パッキンをさらに備える、請求項１〜６のいずれか１項に記載の照明装置。
【発明の詳細な説明】
【技術分野】
【０００１】
本開示は、照明装置に関する。
【背景技術】
【０００２】
特許文献１には、装置本体の内部に固定され、発光モジュールを保持するホルダと、当該ホルダに係合して、発光モジュールおよびホルダを覆う透光性のカバーと、当該カバーに装着されたパッキンとを備える天井埋め込み型の照明装置が開示されている。特許文献１には、装置本体の内面とカバーとの隙間をパッキンで塞ぐことにより、カバー内に水分や異物が侵入することを防止できる、と記載されている。
【先行技術文献】
【特許文献】
【０００３】
【特許文献１】特許第６０５９０２３号公報
【発明の概要】
【発明が解決しようとする課題】
【０００４】
ところで、天井埋め込み型の照明装置には、装置本体の内部に設けられる発光モジュールに電力を供給するためのリード線を通す挿通孔が装置本体に形成されている。リード線の挿通孔は、閉鎖的な天井裏空間に開口する小さな孔であるが、虫、埃、水分、腐食性のガス等はかかる挿通孔からもカバー内に侵入し得る。これらがカバー内に侵入して発光モジュールに作用すると、発光モジュールの劣化の促進、またトラッキングによる不点などが発生する可能性がある。
【課題を解決するための手段】
【０００５】
本開示の一態様である照明装置は、軸方向一端が開口し、軸方向他端に天板部が形成された有天筒状の装置本体と、前記装置本体の内部に設けられる発光モジュールと、前記装置本体の内部に固定され、前記発光モジュールを保持するホルダと、前記ホルダに係合して前記発光モジュールおよび前記ホルダを覆う透光性のカバーと、前記発光モジュールに接続されるリード線とを備え、前記装置本体は、前記天板部に形成された前記リード線の挿通孔と、前記天板部の外側に向いた面上において、前記挿通孔を囲むように形成された環状溝とを有し、前記環状溝内に設けられたシール材と、前記天板部と共に前記シール材を挟持し、前記シール材に囲まれた前記天板部上の空間を密閉するための天板とをさらに備えることを特徴とする。
【発明の効果】
【０００６】
本開示の一態様である照明装置によれば、虫、埃、水分、腐食性のガス等がリード線の挿通孔からカバー内に侵入することを防止できる。このため、本開示の一態様である照明装置によれば、発光モジュールの劣化、トラッキングによる不点などの不具合の発生をより確実に抑制できる。
【図面の簡単な説明】
【０００７】
【図１】実施形態の一例である照明装置を上方から見た斜視図である。
【図２】実施形態の一例である照明装置を上方から見た分解斜視図である。
【図３】実施形態の一例である照明装置を下方から見た分解斜視図である。
【図４】図１中のＡＡ線断面図である。
【図５】実施形態の一例であるホルダ、透光性のカバー、および内側パッキンを示す斜視図である。
【図６】実施形態の一例である照明装置を上方から見た斜視図であって、天板を取り外した状態を示す。
【図７】実施形態の他の一例である照明装置のリード線シール部を示す図である。
【発明を実施するための形態】
【０００８】
以下、図面を参照しながら、本開示に係る照明装置の実施形態の一例について詳細に説明する。実施形態の説明で参照する図面は模式的に記載されたものであるから、各構成要素の寸法比率などは以下の説明を参酌して判断されるべきである。なお、以下で説明する複数の実施形態の各構成要素を選択的に組み合わせることは当初から想定されている。
【０００９】
図１は、実施形態の一例である照明装置１０を上方から見た斜視図である。図２は照明装置１０を上方から見た分解斜視図、図３は照明装置１０を下方から見た分解斜視図である。図１〜図３に例示するように、照明装置１０は、軸方向一端が開口し、軸方向他端に天板部１４が形成された有天筒状の装置本体１１と、装置本体１１の内部に設けられる発光モジュール２０とを備える。照明装置１０は、装置本体１１の開口を鉛直下方に向けた状態で天井の埋め込み孔に挿入される天井埋め込み型の照明装置であって、一般的にダウンライトと呼ばれる。本明細書では、説明の便宜上、照明装置１０を天井に取り付けた状態で、照明装置１０の鉛直上方側「上」、鉛直下方側を「下」とする。
【００１０】
照明装置１０は、例えば住居の室内において水平な天井に取り付けられるが、水平方向および鉛直方向に対して傾斜した天井に取り付けることも可能である。また、照明装置１０は住居の廊下、玄関などの天井、或いは図書館等の公共施設、デパート等の商業施設、オフィス、店舗、工場などの天井に取り付けることもできる。照明装置１０が取り付けられる天井は、建築空間の上方を区画する部位であればよく、例えば玄関ポーチ、テラスなどの天井であってもよい。照明装置１０は、硫化水素（Ｈ2Ｓ）等の腐食性のガスを含む雰囲気下に設置されてもよい。
【００１１】
照明装置１０は、装置本体１１の内部に固定され、発光モジュール２０を保持するホルダ３０と、ホルダ３０に係合して発光モジュール２０およびホルダ３０を覆う透光性のカバー４０とを備える。また、照明装置１０は発光モジュール２０に接続されるリード線２４と、リード線２４を介して発光モジュール２０に電力を供給する点灯装置（図示せず）とを備える。リード線２４は、装置本体１１の外部に設けられる点灯装置と、装置本体１１の内部に設けられる発光モジュール２０とを接続する配線である。装置本体１１は、天板部１４に形成されたリード線２４の挿通孔１５を有する。
【００１２】
詳しくは後述するが、照明装置１０は、天板部１４の外側に向いた外面１４ａ上に形成された環状溝５０と、環状溝５０内に設けられたシール材と、天板部１４と共にシール材を挟持し、シール材に囲まれた天板部１４上の空間Ｐを密閉する天板６０とを備える。環状溝５０は、挿通孔１５を囲むように形成され、挿通孔１５は環状溝５０内に設けられたシール材によって装置本体１１の外側から封止される。また、照明装置１０は、装置本体１１の内面とカバー４０との隙間をシールする内側パッキン６５を備えることが好ましい。
【００１３】
装置本体１１は、軸方向一端（以下、「下端」という場合がある）が開口した筒状体であって、筒壁部１３と、軸方向他端（以下、「上端」という場合がある）に形成された天板部１４とを有する。装置本体１１は、軸方向に垂直な断面が略真円形状の円筒状部材であって、下端の開口に近づくほど拡径した末広がりの形状を有する。また、装置本体１１の開口の周縁には円環状のフランジ部１２が形成されている。フランジ部１２は、装置本体１１の開口の周縁で径方向外側に張り出して形成され、装置本体１１の上部が埋め込み孔から天井裏空間に挿入された状態で天井面に沿って配置される。
【００１４】
装置本体１１は、アルミニウム、鉄等を主成分とする金属材料を、プレス加工、ヘラ絞り加工、またはダイカスト成形して製造されるが、好ましくはダイカスト成形により製造される。ただし、装置本体１１は樹脂材料で構成されてもよい。装置本体１１の外側には、複数の放熱フィンが設けられていてもよい。なお、装置本体１１は、円筒形状に限定されず、軸方向に垂直な断面が矩形状を呈する有天筒状の部材であってもよい。
【００１５】
筒壁部１３は、装置本体１１の上部では軸方向に沿って形成され、上下方向中央部から下端に向かって次第に径方向外側に広がるように傾斜した形状を有する。筒壁部１３は湾曲していてもよい。装置本体１１の内側に向いた筒壁部１３の内面は、発光モジュール２０から出射される光の反射面となる。筒壁部１３の内面には、光の反射率を高めるために、蒸着、メッキ、スパッタリング等により金属層が形成されていてもよく、研磨等により鏡面仕上げされていてもよい。また、筒壁部１３の内面には白色顔料を含有する白色の塗膜が形成されていてもよい。
【００１６】
天板部１４は、上述の通り、装置本体１１の上端に形成され、装置本体１１の上端を塞いでいる。天板部１４は、例えば略円板形状を有し、周縁部以外は装置本体１１の径方向に沿って略平坦に形成されている。リード線２４を通すための挿通孔１５は、上述の通り、天板部１４に形成される。図２に示す例では、天板部１４の端部に円形状の挿通孔１５が１つ形成されている。
【００１７】
本実施形態では、ホルダ３０が天板部１４にネジ止めされている。ホルダ３０は、天板部１４の外側からネジ３８（ホルダ固定用ネジ）を用いて固定される。このため、天板部１４には、ネジ３８が挿通される貫通孔１６が形成されている。また、天板部１４には、ホルダ３０の後述する位置決めピン３７が挿入されるピン孔１８が形成されている。
【００１８】
照明装置１０は、上述のように、装置本体１１の天板部１４上に形成される環状溝５０と、天板部１４上を覆う天板６０と、環状溝５０内に設けられ天板６０と装置本体１１の天板部１４との間に介在するシール材とを備える。環状溝５０は、天板部１４の周縁に沿って外面１４ａ上に立設した２つの周壁５１の間に形成されることが好ましい。
【００１９】
照明装置１０は、上記シール材として、環状溝５０に嵌め込まれるリング状の外側パッキン５５を備える。装置本体１１は、天板６０と天板部１４との間にリード線２４を通すための開口部を形成する凹部５２を有していてもよい。また、外側パッキン５５は、リード線２４と凹部５２との隙間を塞ぐリード線シール部５６を有していてもよい。
【００２０】
天板６０は、天板部１４の上方において環状溝５０（外側パッキン５５）に囲まれる範囲の全体を覆うように天板部１４の外面１４ａと対向配置される。天板６０は、ベース部６１と、爪部６２とを有し、天板部１４の周囲に設けられる固定部５３の上端にネジ６８（天板固定用ネジ）を用いて固定されることが好ましい。ネジ６８は、ベース部６１に形成された貫通孔６３に取り付けられる。空間Ｐ（図４参照）の密閉構造を構成する環状溝５０、外側パッキン５５、天板６０等については、さらに後述する。
【００２１】
照明装置１０は、装置本体１１の外側に形成された支持部７１に固定される取り付けバネ７０を備える。支持部７１は、装置本体１１の外側において、フランジ部１２および筒壁部１３に跨って形成されている。支持部７１は、装置本体１１の径方向に並んで２箇所に形成され、取り付けバネ７０の端部を挿し込み可能な形状を有する。各支持部７１に固定される２つの取り付けバネ７０は、板バネ構造を有し、水平方向に延びている。照明装置１０は、取り付けバネ７０が天井裏空間において天井の埋め込み孔の周囲に当接することで天井に固定される。なお、取り付けバネ７０は３つ以上設けられていてもよい。
【００２２】
発光モジュール２０は、ホルダ３０によって保持され、装置本体１１の内部に設けられる。発光モジュール２０は、例えば長方形状の基板２２に実装されたＣＯＢ（Chip on Board）タイプの光源部２１を有する。光源部２１を構成する発光素子は、例えば半導体発光素子であって、中でもＬＥＤ（Light Emitting Diode）が好ましい。発光素子は、例えば蛍光体を含む封止層で封止される。光源部２１は、蛍光体によって発光素子の青色光の一部をより長波長の光に変換し、青色光の残りの一部と混色することで白色光を出射する。
【００２３】
発光モジュール２０には、光源部２１に電力を供給するためのリード線２４が接続されている。リード線２４は、例えば発光モジュール２０に複数接続される。そして、複数のリード線２４は１つの挿通孔１５から装置本体１１の外部に引き出される。発光モジュール２０には、光源部２１の熱を拡散させる放熱板２３が取り付けられていてもよい。放熱板２３は、基板２２の上面に配置され、基板２２と天板部１４の内面１４ｂ（図４参照）との間に介在している。
【００２４】
発光モジュール２０には、反射部、接点部等を構成する金属として銀または銀合金が使用される場合がある。銀は、硫化水素の作用により酸化して黒色の酸化銀を生成し易いため、照明装置１０を硫化水素が存在する雰囲気下で使用すると、例えば反射部が黒化して光束が減退し、製品寿命が短くなることが想定される。照明装置１０は、外側パッキン５５を備え、発光モジュール２０の収容空間Ｓ（図４参照）の密閉性に優れるため、かかる腐食性ガスによる発光モジュール２０の劣化を抑制することができる。
【００２５】
ホルダ３０は、装置本体１１の内部において天板部１４に固定され、発光モジュール２０を保持する。ホルダ３０は、一般的に樹脂材料で構成される。ホルダ３０は、直径が略一定の装置本体１１の上部に挿入され、天板部１４の外側から貫通孔１６に挿通されるネジ３８を用いて天板部１４の内面１４ｂに固定される。ホルダ３０の外径は、装置本体１１の上部の内径よりも小さく、ホルダ３０と装置本体１１の内面との間にはカバー４０を挿入可能な隙間が存在する。
【００２６】
ホルダ３０は、中央に窓孔３４が形成された略円環形状の底板３１と、底板３１の外周部に立設して円筒状に形成された周壁３２とを有する。発光モジュール２０は、底板３１の窓孔３４を通して光が出射されるように、光源部２１が実装された基板２２の面を下に向けてホルダ３０内に配置される。底板３１は、外周部から窓孔３４の周縁に向かって次第に天板部１４側に近づくように傾斜している。周壁３２の外面には、カバー４０との係合部として機能する突起３５が形成されている。
【００２７】
カバー４０は、例えば光拡散用のフィラーまたはボイドを含有する乳白色の樹脂製透光部材である。或いは、カバー４０は透明な部材であって、入射面と出射面とで光を成形するレンズ機能を有していてもよい。カバー４０は、ホルダ３０に保持された発光モジュール２０を覆って保護すると共に、発光モジュール２０から出射される光を透過または拡散透過させる機能を有する。
【００２８】
カバー４０は、略円板形状の底板４１と、底板４１の外周部に立設した周壁４２とを有し、ホルダ３０を収容可能な有底円筒形状を有する。周壁４２の内面には、ホルダ３０との係合部として機能する凹部４５が形成されており、凹部４５とホルダ３０の突起３５とが嵌合することでカバー４０がホルダ３０に固定される。カバー４０の内径はホルダ３０の外径よりも大きく、発光モジュール２０を保持するホルダ３０の全体を内部に収容する。他方、カバー４０の外径は装置本体１１の上部の内径よりも小さく、カバー４０は装置本体１１とホルダ３０との間に挿入される。
【００２９】
本実施形態では、ホルダ３０の上端までカバー４０で覆われ、ホルダ３０がすっぽりとカバー４０内に収容されるように、装置本体１１の内部にカバー４０が取り付けられる。そして、照明装置１０には、天板部１４の内面１４ｂとカバー４０とで囲まれた発光モジュール２０の収容空間Ｓ（図４参照）が形成される。収容空間Ｓには、発光モジュール２０およびホルダ３０が配置され、天板部１４の挿通孔１５を介してリード線２４が引き込まれている。
【００３０】
以下、図４〜図６を参照しながら、空間Ｐおよび収容空間Ｓの密閉構造について、さらに詳説する。図４は、図１中のＡＡ線断面図である。図５は、ホルダ３０、透光性のカバー４０、および内側パッキン６５を示す斜視図である。図６は、照明装置１０を上方から見た斜視図であって、天板６０を取り外した状態を示す図である。
【００３１】
図４および図５に例示するように、照明装置１０は、天板部１４上に設けられる外側パッキン５５を備え、さらに装置本体１１の内部に設けられる内側パッキン６５を備えることが好ましい。内側パッキン６５は、例えば弾性を有するゴム、エラストマ―等で構成される。一般的に、天板部１４の内面１４ｂとカバー４０の上端との間には小さな隙間が存在するため、内面１４ｂとカバー４０の上端との間に内側パッキン６５を介在させることで、かかる隙間を塞いで収容空間Ｓの密閉性を高めることができる。
【００３２】
ここで、ホルダ３０の構成について説明する。ホルダ３０は、上述の通り、底板３１の窓孔３４を通して発光モジュール２０の光が出射されるように、光源部２１が実装された基板２２の面を下に向けた状態で発光モジュール２０を保持する。ホルダ３０は、底板３１の中央部に形成された保持部３３を有する。保持部３３は、窓孔３４を囲むように形成され、基板２２の下面を支持し、基板２２の四隅等を保持する。
【００３３】
ホルダ３０は、ネジ３８が螺合されるボス部３６を有する。ボス部３６は、底板３１において保持部３３よりも径方向外側に設けられる。本実施形態では、径方向中央にネジ孔が形成された略円柱状のボス部３６が底板３１上に２つ立設している。ホルダ３０は、ボス部３６にネジ３８を螺合することで引き上げられて天板部１４に固定される。
【００３４】
また、ホルダ３０は、天板部１４に形成されたピン孔１８に挿入される位置決めピン３７を有する。位置決めピン３７がピン孔１８に挿入されることで、天板部１４とホルダ３０との位置決めがなされる。位置決めピン３７は、底板３１上に立設した略円柱形状の台座部３９上に形成される。ボス部３６および位置決めピン３７は、底板３１の周方向に並んで２つずつ形成されている。
【００３５】
本実施形態では、リング状の内側パッキン６５が、ホルダ３０の周壁３２の上端およびカバー４０の周壁４２の上端に沿って配置され、天板部１４の内面１４ｂとカバー４０との隙間を塞いで収容空間Ｓの密閉性を向上させている。なお、内側パッキンは、カバー４０の周壁４２に装着され、装置本体１１の内面と周壁４２の外面との隙間をシールしてもよい。
【００３６】
図４および図６に例示するように、装置本体１１は、装置本体１１の環状溝５０に嵌め込まれたリング状の外側パッキン５５と、天板部１４と共に外側パッキン５５を挟持し、外側パッキン５５に囲まれた天板部１４上の空間Ｐを密閉する天板６０とを備える。環状溝５０は、上述の通り、天板部１４の外面１４ａ上において、天板部１４に形成されたリード線２４の挿通孔１５を囲んで形成される。
【００３７】
照明装置１０では、天板６０が外側パッキン５５を押圧した状態で装置本体１１に固定され、これにより、天板部１４の外面１４ａと、環状の外側パッキン５５と、天板６０とに囲まれた、天板部１４の上方に形成される空間Ｐが密閉される。したがって、虫、埃、水分、腐食性のガス等が、挿通孔１５からカバー４０内（収容空間Ｓ内）に侵入することを防止できる。
【００３８】
天板部１４には、挿通孔１５以外の収容空間Ｓに連通する貫通孔として、ネジ３８が挿通される貫通孔１６と、位置決めピン３７が挿入されるピン孔１８とが形成される。このため、環状溝５０は、挿通孔１５、貫通孔１６、およびピン孔１８を囲むように形成されることが好ましい。すなわち、挿通孔１５、貫通孔１６、およびピン孔１８は、天板部１４において環状溝５０に囲まれた範囲に形成されることが好ましい。環状溝５０の内側は外側パッキン５５および天板６０によって密閉されるので、環状溝５０の内側に各貫通孔を位置させることで各貫通孔を封止することができる。
【００３９】
環状溝５０は、天板部１４の周縁部に沿って外面１４ａ上に立設した２つの周壁５１の間に形成されている。各周壁５１は、装置本体１１の径方向に間隔をあけて略同じ高さで形成される。例えば、各周壁５１の高さを変更することで、外面１４ａと天板６０との間隔、すなわち空間Ｐの高さ（上下方向長さ）を調整できる。空間Ｐの高さは、空間Ｐ内に存在するネジ３８の頭部および位置決めピン３７が天板６０と干渉しない高さに設定される。また、環状溝５０の幅は、周壁５１同士の間隔を変更することで調整できる。周壁５１同士の間隔は、例えば略一定であるが、外側パッキン５５の着脱性を向上させるために、周壁５１の一部に環状溝５０内に突出する突起を設けてもよい。
【００４０】
外側パッキン５５は、上述のように、環状溝５０に嵌め込まれるリング状のパッキンである。外側パッキン５５は、内側パッキン６５と同様に、弾性を有するゴム、エラストマ―等で構成されることが好ましい。外側パッキン５５は、環状溝５０を形成する周壁５１の上端から一部が突出した状態で環状溝５０内に設けられる。換言すると、周壁５１の高さは外側パッキン５５の厚みよりもやや低く形成される。このように外側パッキン５５を設けることで、天板６０によって外側パッキン５５が押し潰され、空間Ｐの良好な密閉性が確保される。
【００４１】
装置本体１１は、天板部１４の周縁の一部に形成された凹部５２を有する。凹部５２は、天板部１４の外面１４ａと、天板６０との間にリード線２４を挿通可能な開口部を形成する。凹部５２は、例えば周壁５１の一部を無くし、外面１４ａの一部を窪ませて形成される。天板６０にリード線２４を挿通可能な開口部を形成し、当該開口部とリード線２４との隙間をシールしてもよいが、リード線２４の取り回し、空間Ｐの密閉性等を考慮すると、装置本体１１に凹部５２を設けてリード線２４を径方向に引き出すことが好ましい。
【００４２】
上記シール材は、リード線２４と凹部５２によって形成される開口部との隙間を塞ぐリード線シール部５６を有する。リード線シール部５６を設けることで、空間Ｐの密閉性を確保しながら、リード線２４を装置本体１１の径方向に引き出すことができる。本実施形態では、リード線２４を挿通可能な貫通孔が形成されたリード線シール部５６が外側パッキン５５と一体化されている。外側パッキン５５は、例えば一部が太く形成され、その太くなった部分に貫通孔が形成された構造を有する。リード線シール部５６の貫通孔はリード線２４の本数と同数形成され、各貫通孔にリード線２４が１本ずつ通される。
【００４３】
図７は、リード線シール部５６の他の一例を示す図である。図７に例示するように、リード線シール部５６は、リード線２４の本数と同数の溝を有し、リード線２４に密着する一対の部材（第１ガイド部５７および第２ガイド部５８）で構成されてもよい。この場合、リード線２４を第１ガイド部５７の溝に挿入した後、第２ガイド部５８でリード線２４を挟むことによりリード線２４をシールできる。リード線シール部５６は、第１ガイド部５７および第２ガイド部５８がヒンジ部５９で連結された一体成形品であって、開閉可能に構成されていることが好ましい。なお、図７に例示するリード線シール部５６は、外側パッキン５５と一体成形されていてもよく、別部品として構成されてもよい。
【００４４】
図６に例示するように、装置本体１１は、環状溝５０に囲まれた範囲外に、天板６０がネジ止めされる固定部５３を有する。固定部５３は、ネジ孔が形成された支柱であって、天板部１４を囲むように装置本体１１の外側に立設している。固定部５３の上端の高さは、例えば周壁５１の高さと略同じである。天板６０は、固定部５３上に配置され、ネジ６８を用いて固定部５３上に固定される。
【００４５】
固定部５３は、複数設けられることが好ましい。本実施形態では、環状溝５０よりも装置本体１１の径方向外側において、傾斜した筒壁部１３の外面に４つの固定部５３が立設している。この場合、ネジ６８を通す貫通孔が環状溝５０（外側パッキン５５）の内側に形成されないため、当該貫通孔をシールする必要がなく、空間Ｐの密閉性を確保し易い。
【００４６】
天板６０は、略平坦に形成されたベース部６１と、ベース部６１の端から下方に突出した爪部６２とを有する。ベース部６１は、天板部１４の上方において環状溝５０に囲まれる範囲の全体を覆うと共に、天板部１４上から張り出して固定部５３にネジ止めされる。ベース部６１は、周壁５１上に載せられて、天板部１４の外面１４ａと対向配置され、その一部が環状溝５０よりも装置本体１１の径方向外側に張り出している。爪部６２は、装置本体１１の上端部に引っ掛かり、ネジ止めの際に天板６０の位置を安定させる。
【００４７】
ベース部６１は、天板部１４の環状溝５０に囲まれる面積よりも大きく形成され、天板部１４上から張り出した部分に形成された貫通孔６３を有する。貫通孔６３は、ネジ６８が取り付けられる孔であって、固定部５３と同数形成されていればよい。また、ベース部６１には、例えばリード線２４を結束して張力止めするための結束バンド（図示せず）が取り付けられる貫通孔６４が形成されていてもよい。
【００４８】
以上のように、上記構成を備えた照明装置１０によれば、リード線２４の挿通孔１５をシールする外側パッキン５５を設けることにより、虫、埃、水分、腐食性のガス等が挿通孔１５から発光モジュール２０の収容空間Ｓ内に侵入することを防止できる。また、内側パッキン６５を設けることで、収容空間Ｓの密閉性をさらに向上させることができる。したがって、照明装置１０によれば、発光モジュール２０の劣化、トラッキングによる不点などの不具合の発生をより確実に抑制できる。
【００４９】
なお、環状溝５０および凹部５２にシリコーン樹脂、エポキシ樹脂等の封止性の高い樹脂を充填してシール材としてもよい。また、環状溝５０にシリコーン樹脂等を充填し、凹部５２に図７に例示するようなリード線シール部５６を設けてもよい。或いは、環状溝５０にリード線シール部５６を有さないリング状の外側パッキン５５を嵌め付け、リード線２４と凹部５２の隙間にシリコーン樹脂等を充填してもよい。
【符号の説明】
【００５０】
１０  照明装置、１１  装置本体、１２  フランジ部、１３  筒壁部、１４  天板部、１４ａ  外面、１４ｂ  内面、１５  挿通孔、１６  貫通孔、１８  ピン孔、２０  発光モジュール、２１  光源部、２２  基板、２３  放熱板、２４  リード線、３０  ホルダ、３１  底板、３２  周壁、３３  保持部、３４  窓孔、３５  突起、３６  ボス部、３７  位置決めピン、３８  ネジ（ホルダ固定用ネジ）、３９  台座部、４０  カバー、４１  底板、４２  周壁、４５  凹部、５０  環状溝、５１  周壁、５２  凹部、５３  固定部、５５  外側パッキン、５６  リード線シール部、５７  第１ガイド部、５８  第２ガイド部、５９  ヒンジ部、６０  天板、６１  ベース部、６２  爪部、６３，６４  貫通孔、、６５  内側パッキン、６８  ネジ（天板固定用ネジ）、７０  取り付けバネ、７１  支持部、Ｓ  収容空間、Ｐ  空間
【図１】
2018147840.tif 000003
【図２】
2018147840.tif 000004
【図３】
2018147840.tif 000005
【図４】
2018147840.tif 000006
【図５】
2018147840.tif 000007
【図６】
2018147840.tif 000008
【図７】
2018147840.tif 000009